(57)【要約】【課題】不定形記録紙のセット方向を間違うことがないようにした画像記録装置を提供する。【解決手段】不定形記録紙の縦、横サイズを、操作表示部で入力、表示させながら、印字出力すべき記録紙のサイズを指定することができる画像記録装置Ｆであって、操作表示部６に、入力された縦、横サイズＡ４を表示させるとともに、記録紙を縦、横いずれの方向にセットするかを示すアイコンＡ１を付加表示させる表示制御部１を備えている。【選択図】図３
2007143011.tif 000002
【特許請求の範囲】
【請求項１】
不定形記録紙の縦、横サイズを、操作表示部で入力、表示させながら、印字出力すべき記録紙のサイズを指定することができる画像記録装置であって、
上記操作表示部に、入力された縦、横サイズを表示させるとともに、記録紙を縦、横いずれの方向にセットするかを示すアイコンを付加表示させる表示制御部を備えていることを特徴とする画像記録装置。
【請求項２】
請求項１において、
上記アイコンは、所定の記録紙形状で、その縦、横に対応した縦、横ガイド部を有し、
上記表示制御部は、記録紙の縦、横サイズの選択操作にあわせて、上記アイコンの縦、横ガイド部のいずれかの表示形態を異ならせて表示させることを特徴とする画像記録装置。
【請求項３】
請求項１において、
上記アイコンは縦、横サイズの異なるものが複数準備され、
上記表示制御部は、入力した記録紙の縦、横サイズの長短に対応させて、上記複数のアイコンを切替表示することを特徴とする画像記録装置。
【請求項４】
請求項１〜３のいずれかにおいて、
上記表示制御部は、記録紙を手差しする際の挿入方向を示す挿入方向アイコンをさらに表示するようにしたことを特徴とする画像記録装置。
【発明の詳細な説明】
【技術分野】
【０００１】
本発明は、サイズを入力設定した不定形記録紙に対し画像の印字出力ができる画像記録装置に関するものである。
【背景技術】
【０００２】
従来の画像記録装置には、半紙、のし紙などの不定形記録紙に対応した装置が知られている。
【０００３】
この種の装置は、定形サイズの記録紙に印字する場合には、原稿のサイズをセンサにより自動認識し、それをもとにして、あらかじめカセットや手差しトレイにセットされている記録紙をセンサなどにより自動的に選択することができるが、不定形サイズの場合には自動認識を行っておらず、そのため、装置に記録紙サイズを認識させるために、操作パネルにより記録紙のサイズを設定入力できるようにしている。
【０００４】
操作パネルで記録紙サイズを設定すれば、手差しトレイなどにセットしたサイズ設定済みの記録紙に、読み取った原稿画像を正確に印字出力することができる。
【０００５】
ところが、上記の操作パネルでのサイズ設定画面では、不定形記録紙の縦、横の長さを設定できるだけで、手差しトレイに対する差込方向やカセットへのセット方向を示すガイドがないため、縦、横を逆にセットしてしまうことも多くあった。
【０００６】
次の文献には、両面印刷を行う際に、パンチ孔の位置を目印として操作パネルに表示することによっての用紙のセット方向をガイドするセットミス防止技術が記載されている。
【特許文献１】特開２００４−２８６８８５号公報
【発明の開示】
【発明が解決しようとする課題】
【０００７】
しかしながら、不定形記録紙の場合、特にのし紙などにはパンチ孔を開けることはできず、上記の方法では不都合である。
【０００８】
本発明は、このような事情を考慮して提案されたもので、その目的は、不定形記録紙のセット方向を間違うことがないようにした画像記録装置を提供することにある。
【課題を解決するための手段】
【０００９】
上記目的を達成するために、請求項１に記載の画像記録装置は、不定形記録紙の縦、横サイズを、操作表示部で入力、表示させながら、印字出力すべき記録紙のサイズを指定することができる画像記録装置であって、操作表示部に入力された縦、横サイズを表示させるとともに、記録紙を縦、横いずれの方向にセットするかを示すアイコンを付加表示させる表示制御部を備えていることを特徴とする。
【００１０】
請求項２では、上記アイコンは、所定の記録紙形状で、その縦、横に対応した縦、横ガイド部を有し、表示制御部は、記録紙の縦、横サイズの選択操作にあわせて、アイコンの縦、横ガイド部のいずれかの表示形態を異ならせて表示させることを特徴とする。
【００１１】
請求項３では、上記アイコンは縦、横サイズの異なるものが複数準備され、表示制御部は、入力した記録紙の縦、横サイズの長短に対応させて、複数のアイコンを切替表示することを特徴とする。
【００１２】
請求項４では、表示制御部は記録紙を手差しする際の挿入方向を示す挿入方向アイコンをさらに表示するようにしたことを特徴とする。
【発明の効果】
【００１３】
請求項１に記載の画像記録装置によれば、操作表示部に入力された縦、横サイズを表示させるとともに、記録紙を縦、横いずれの方向にセットするかを示すアイコンを付加表示させているため、利用者はセット方向を容易に確認でき、手差しトレイやカセットに方向を間違えることなく、不定形記録紙をセットすることができる。
【００１４】
また、アイコンは縦、横サイズの設定画面に付加表示されるようにしているため、サイズを見ながらセット方向を確認することができる。
【００１５】
請求項２に記載の画像記録装置によれば、アイコンは記録紙形状で、縦、横ガイド部を備え、縦、横サイズの選択操作にあわせて、縦、横ガイド部のいずれかの表示形態を異ならせているため、セット方向を誤るおそれがほとんどない。
【００１６】
請求項３に記載の画像記録装置によれば、入力した記録紙の縦、横サイズの長短に対応させて、上記複数のアイコンを切替表示するようにしているため、確実にセット方向を確認することができる。
【００１７】
請求項４に記載の画像記録装置によれば、記録紙を手差しする際の挿入方向を示す挿入方向アイコンをさらに表示しているので、方向を間違えることなく、より確実に記録紙をセットすることができる。
【発明を実施するための最良の形態】
【００１８】
以下に、本発明の実施形態について、図面を参照しながら説明する。本実施例１、２では、画像記録装置としてファクシミリ／コピー複合機を示しているが、本発明は、ファクシミリ装置、複写機、プリンタのような単独機能機器、これを組み合わせた複合機として適用できることはいうまでもない。
【実施例１】
【００１９】
図１（ａ）は本発明の画像記録装置の外観図、（ｂ）は操作表示部の外観図である。
【００２０】
操作表示部６は、本図に示すように、操作パネル６ａや方向キー６ｂ、テンキー６ｃ等を含んで構成され、装置前面側の利用者が立って操作しやすい位置に配置されている。また、操作パネル６ａは、図１（ｂ）に示すように、操作表示部６上に配置され、利用者が指でタッチしながら操作、表示することのできるタッチパネルにより構成されている。
【００２１】
また図２は、本発明の画像記録装置の内部構成を示したブロック図である。
【００２２】
画像記録装置Ｆは、ＭＰＵ１、ＮＣＵ２、モデム３、読取部４、画像メモリ５、装置前面側に配置された操作表示部６、各種プログラムや定数データが保存されたＲＯＭ７、ＲＡＭ８、ＣＯＤＥＣ９、印字出力部１０を備えている。
【００２３】
ＭＰＵ１は、各プログラムにしたがって、上記各部を制御するとともに、上記操作パネル６ａの表示を制御する表示制御部を構成する。ＮＣＵ２は、公衆回線Ｎに対する発信、着信の網制御を行い、モデム３は、送受信データの変調および復調を行う。これらにより、ファクシミリ送受信を実行する。
【００２４】
読取部４は、フラットベットスキャナ（不図示）などを含んで構成され、原稿画像を読み取り、２値化した画像データを画像メモリ５に出力する動作を実行する。
【００２５】
また操作表示部６は、図１で説明したように、操作パネル６ａなどを含んで構成される。
【００２６】
ＲＡＭ８は、各種設定データや可変データが格納される。また、ＣＯＤＥＣ９は、読み取った画像データを送信するためにＭＨ、ＭＲ、ＭＭＲなどの方式により符号化する一方、受信した画像データを印字出力するために復号する機能を有している。
【００２７】
印字出力部１０は、読み取った画像や受信した画像を、手差しトレイやカセット等にセットした記録紙に出力する動作を実行する。
【００２８】
この画像記録装置Ｆは、読取部４で読み取った画像データを順次符号化したのち、いったん画像メモリ５に保存し、モデム３、ＮＣＵ２を介して、相手先のファクシミリ装置（不図示）に対して送信する一方、画像データを受信したときには、受信した画像データを画像メモリ５に保存し、順次読み出して復号して、印字出力部１０によって印字出力するファクシミリ送受信基本機能と、読取部４で読み取った原稿の画像データを記録紙に印字出力する複写機能とを備えている。
【００２９】
また、この画像記録装置Ｆは、不定形サイズの記録紙への印字出力も可能としており、装置Ｆが不定形記録紙のサイズを認識するために、操作表示部６で操作パネル６ａの画面操作を通じてサイズ設定ができるようになっている。
【００３０】
さらに本発明装置Ｆでは、その操作パネル６ａに表示された不定形サイズ設定画面でサイズの設定入力、表示をする際に、ＭＰＵ１やプログラムなどにより構成された表示制御部１が、その記録紙の手差しトレイまたはカセットへのセット方向をガイドするように表示制御している。
【００３１】
以下に、不定形サイズ設定画面の例およびその表示動作を、図３および図４を参照しながら説明する。
【００３２】
図３は操作パネル６ａに表示される不定形サイズ設定画面の画面例、図４は画像記録装置Ｆの表示制御動作を示すフローチャートである。
【００３３】
この実施例では、図３（ａ）、（ｂ）に示すように、不定形サイズ設定画面Ａは、縦、横サイズ設定表示部Ａ４と、縦、横それぞれの位置に対応した矢印形状のガイド部Ａ２、Ａ３を伴った記録紙形状のアイコンＡ１と、設定を確定させる設定終了ボタンＡ５と、設定を途中でキャンセルさせるキャンセルボタンＡ６と、挿入方向を示した挿入方向アイコンＡ７とによって構成されている。なお、ガイド部Ａ２、Ａ３はアイコンＡ１の内、外のいずれに表示させてもよい。
【００３４】
また、縦、横サイズ設定表示部Ａ４には、それぞれに対応させて、縦、横を視覚的に示したマークＡ８、Ａ９を表示させている。
【００３５】
縦、横サイズ設定表示部Ａ４の選択は、操作パネル６ａに対するタッチ操作あるいは方向キー６ｂにより、いずれかにフォーカスを合わせることによって行われる。図３（ａ）は縦に、（ｂ）は横にフォーカスを合わせた状態を示している。そして、フォーカスによって選択された側のサイズを、テンキー６ｃなどによって変更でき、変更した値が表示されるようになっている（縦、横サイズ設定表示部Ａ４の右側の数値）。なお、かっこ内の数字は設定サイズの上下限値を示すものである。
【００３６】
このようにフォーカスをいずれかに合わせると、それに応じてアイコンの縦、横ガイド部Ａ２、Ａ３のいずれかが点滅表示する。図３（ａ）では、フォーカスを縦サイズ側に合わせているので縦ガイド部Ａ２が点滅し、（ｂ）では、フォーカスを横サイズ側に移動しているので横ガイド部Ａ３が点滅する。なお、フォーカスしたガイド部Ａ２、Ａ３は、点滅ではなく点灯させてもよいし、あるいは、網掛け、下線、枠など文字飾りなどでもよく、少なくともフォーカスしている側としていない側とで表示形態を異ならせるようにすればよい。
【００３７】
したがって、このような表示によれば、フォーカスする側と点滅するガイド部Ａ２、Ａ３とが対応しているため、記録紙をどの方向にセットすればよいかが一目瞭然に判断できる。図例の場合、縦が横より長い設定となっているため、縦長の記録紙を縦置きにセットすればよいことがわかる。特に本実施例では、マークＡ８、Ａ９を表示させているため、視覚的にさらにわかりやすい。さらに、挿入方向アイコンＡ７も表示させているため、より確実に方向を間違えることなく記録紙をセットすることができる。
【００３８】
次に、図４のフローチャートに沿って表示動作を説明する。
【００３９】
表示制御部１は、不定形サイズ設定画面Ａの呼出操作を検出すると、その画面Ａを初期表示し（ステップ１０１）、その画面表示中にフォーカス移動操作があると（ステップ１０２）、縦サイズ側への移動であれば、縦サイズをフォーカス表示し、アイコンの縦矢印のガイド部を点滅させ（ステップ１０３〜１０５）、横サイズ側への移動であれば、横サイズをフォーカス表示し、アイコンの縦矢印のガイド部を点滅させる（ステップ１０３、１０６、１０７）。
【００４０】
また、この不定形サイズ設定画面Ａ内で、テンキーなどによるサイズ変更操作であれば、フォーカスされた側のサイズを更新表示する（ステップ１０８、１０９）。
【００４１】
以上のステップ１０２〜１０９までの操作検出および表示制御は、設定終了ボタンまたはキャンセルボタンが操作されるまで繰り返される（ステップ１１０）。
【実施例２】
【００４２】
本実施例に示した画像記録装置は、表示態様、表示動作が実施例１と異なる。なお、基本構成は実施例１と同様であるため、装置外観図およびブロック図の添付を省略する。
【００４３】
図５は操作表示部６で表示される不定形サイズ設定画面の画面例、図６は画像記録装置Ｆの表示制御動作を示すフローチャートである。
【００４４】
この実施例では、図５（ａ）〜（ｃ）に示すように、不定形サイズ設定画面Ｂは、縦、横サイズ設定表示部Ｂ４と、記録紙形状のアイコンＢ１（Ｂ２、Ｂ３）と、設定を確定させる設定終了ボタンＢ５と、設定を途中でキャンセルさせるキャンセルボタンＢ６と、挿入方向を示した挿入方向アイコンＢ７とによって構成されており、そのアイコンは３種類の形状のものＢ１、Ｂ２、Ｂ３が準備され、サイズ入力値によって切替表示されるようになっている。また、Ｂ４は設定表示部、Ｂ８、Ｂ９は縦、横を視覚的に示したマークである。なお、縦、横サイズ設定表示部Ｂ４の選択および数値入力は実施例１と同様であるため、説明を省略する。
【００４５】
図５（ａ）〜（ｃ）は、それぞれサイズ入力数値がそれぞれ異なったものを示しており、（ａ）は縦サイズ＞横サイズ、（ｂ）は縦サイズ＝横サイズ、（ｃ）は縦サイズ＜横サイズの関係となっている。そして、縦、横サイズの関係に対応させて、３種類のアイコンＢ１、Ｂ２、Ｂ３を切替表示している。
【００４６】
すなわち、図５（ａ）の状態では縦長のアイコンＢ１が、（ｂ）では正方形のアイコンＢ２が、（ｃ）では横長のアイコンＢ３が表示される。
【００４７】
したがって、このような構成によれば、サイズの長短に対応したアイコンを表示しているため、記録紙をどの方向にセットすればよいかが一目瞭然に判断できる。
【００４８】
図６のフローチャートに沿って、表示動作を説明する。
【００４９】
表示制御部１は、不定形サイズ設定画面Ｂの呼出操作を検出すると、その画面Ｂを初期表示し（ステップ２０１）、その画面表示中にフォーカス移動操作があるとフォーカスを移動表示させる（ステップ２０２、２０３）。
【００５０】
サイズ変更操作があると、サイズの表示更新をするとともに、縦、横サイズの長短を判別して、その関係に応じて縦長、正方形、横長アイコンＢ１、Ｂ２、Ｂ３のいずれかを表示させる（ステップ２０４〜２０９）。
【００５１】
以上のステップ２０２〜２０９までの操作検出および表示制御は、設定終了ボタンまたはキャンセルボタンが操作されるまで繰り返される（ステップ２１０）。
【００５２】
なお、縦、横サイズの設定入力値が一致する場合、つまり記録紙が正方形である場合は、記録紙のセット方向を間違うことがないため、アイコンは非表示としてもよい。
【図面の簡単な説明】
【００５３】
【図１】（ａ）は本発明の画像記録装置の外観図、（ｂ）は操作表示部の外観図である。
【図２】本発明の画像記録装置の内部構成の一例を示したブロック図である。
【図３】操作表示部で表示される不定形サイズ設定画面の画面例（実施例１）である。
【図４】実施例１の表示動作を示したフローチャートである。
【図５】操作表示部で表示される不定形サイズ設定画面の画面例（実施例２）である。
【図６】実施例２の表示動作フローチャートである。
【符号の説明】
【００５４】
Ｆ      画像記録装置
１      ＭＰＵ（表示制御部）
６      操作表示部
６ａ      操作パネル
Ａ、Ｂ      不定形サイズ設定画面
Ａ１      アイコン
Ａ２      縦ガイド部
Ａ３      横ガイド部
Ａ４      縦、横サイズ設定表示部
Ａ７      挿入方向アイコン
Ｂ１      縦長アイコン
Ｂ２      正方形アイコン
Ｂ３      横長アイコン
Ｂ４      縦、横サイズ設定表示部
Ｂ７      挿入方向アイコン
【図１】
2007143011.tif 000003
【図２】
2007143011.tif 000004
【図３】
2007143011.tif 000005
【図４】
2007143011.tif 000006
【図５】
2007143011.tif 000007
【図６】
2007143011.tif 000008